(57)【特許請求の範囲】
【請求項１】
ＩＣカード収容部にＩＣカードの着脱方向を横切る方向に延在し回動可能に支持され、第１のＩＣカードが該ＩＣカード収容部に装着されるとき、該第１のＩＣカードの進行方向の端部が一方向に向くように該ＩＣカードの進行方向の端部を誘導する第１の位置の状態をとり、第２のＩＣカードが該ＩＣカード収容部に装着されるとき、該第２のＩＣカードの進行方向の端部が他方向に向かうように誘導する第２の位置の状態をとる誤挿入規制部材と、
前記誤挿入規制部材を前記第１のＩＣカードの排出方向に付勢する付勢部材と、
前記誤挿入規制部材の両端に形成される係合部に係合される開口部を有する弾性変位可能な可動片をそれぞれ有し、前記第２のＩＣカードが該ＩＣカード収容部に装着されるとき、該誤挿入規制部材の第２の位置を選択的に維持する一対のロック部材と、を備え、
前記第２のＩＣカードの端部が前記進行方向に向けられて該第２のＩＣカードが挿入される場合、前記一対のロック部材のうちの一方の前記ロック部材の可動片の開口部が前記誤挿入規制部材の係合部のうちの一方に対し離隔され、前記誤挿入規制部材が所定角度だけ回動されるとき、前記誤挿入規制部材の係合部のうちの少なくとも他方の係合部は、一対のロック部材のうちの他方の前記ロック部材の開口部の周縁に係合する切欠部を有することを特徴とするＩＣカード誤挿入防止機構。
【請求項２】
前記誤挿入規制部材は、前記第１のＩＣカードおよび第２のＩＣカードの着脱方向に対し直交するように前記第１のＩＣカードまたは第２のＩＣカードの先端部が当接される当接面を有するとともに、該第１のＩＣカードが該第１のＩＣカードの着脱方向に対し所定の角度以内の傾斜角度をもって前記一対のロック部材の相互間に斜めに挿入されるとき、該第１のＩＣカードの進行方向の端面と該当接面との間に隙間が形成されるように、窪みを該当接面の一端側に有することを特徴とする請求項１記載のＩＣカード誤挿入防止機構。
【請求項３】
ＩＣカード収容部にＩＣカードの着脱方向に沿って摺動しつつ昇降動可能に設けられ、第１のＩＣカードが該ＩＣカード収容部に装着されるとき、該第１のＩＣカードの進行方向の端部が一方向に向かうように該第１のＩＣカードの進行方向の端部を誘導する第１の位置の状態をとり、第２のＩＣカードが該ＩＣカード収容部に装着されるとき、該第２のＩＣカードの進行方向の端部が他方向に向かうように誘導する第２の位置の状態をとる誤挿入防止用可動部材と、
前記誤挿入防止用可動部材に前記第１の位置または第２の位置をとらせる位置制御機構部と、
前記誤挿入防止用可動部材に連結される一対の可動板駆動部材と、前記第１および第２のＩＣカードの着脱に応じて該可動板駆動部材の移動を選択的に規制するロック部材とを含むロック／アンロック機構とを備え、
前記第２のＩＣカードが、進行方向の端部が前記一方向に向かうように該ＩＣカード収容部に装着されるとき、前記一対の可動板駆動部材のうちの一方の可動板駆動部材が前記ロック部材によりアンロック状態とされ、前記誤挿入防止用可動部材の移動に伴い該一対の可動板駆動部材のうちの他方の可動板駆動部材が移動される場合、該他方の可動板駆動部材の突起片が前記ロック部材の係止部に係止されることを特徴とするＩＣカード誤挿入防止機構。
【請求項４】
形状が互いに異なる第１および第２のＩＣカードのうちの１つのＩＣカードが選択的に通過可能なカードスロットを有するとともに、該第１および第２のＩＣカードの電極部を電気的に接続する複数種類のコンタクト端子群を有し、該第１または第２のＩＣカードを収容するＩＣカード収容部と、
請求項１記載のＩＣカード誤挿入防止機構と、
を具備して構成されるＩＣカード用コネクタ。
【請求項５】
形状が互いに異なる第１および第２のＩＣカードのうちの１つのＩＣカードが選択的に通過可能なカードスロットを有するとともに、該第１および第２のＩＣカードの電極部を電気的に接続する複数種類のコンタクト端子群を有し、該第１または第２のＩＣカードを収容するＩＣカード収容部と、
請求項３記載のＩＣカード誤挿入防止機構と、
を具備して構成されるＩＣカード用コネクタ。
【発明の詳細な説明】
【技術分野】
【０００１】
本発明は、ＩＣカード誤挿入防止機構、および、それを複合のカード収容部内に備えるＩＣカード用コネクタに関する。
【背景技術】
【０００２】
電子機器において、一般に、ＭＭＣ（multi media card）カード（商標）、ＳＤ（secure digital）カード、ｍｉｎｉＳＤカード（商標）等のＩＣカードをその各機器にＩＣカードコネクタを介して装着することにより、各種の機能拡張が行なわれている。
【０００３】
また、ＩＣカードコネクタにおいては、互いに形状の異なる複数のＩＣカードを一つの電子機器内に装着し利用するために例えば、特許文献１および特許文献２にも示されるように、各ＩＣカードの共通のカードスロットを有し、各ＩＣカードが１枚づつ選択的に着脱される複合のカード収容部を設けたものが提案されている。
【０００４】
このような複合のカード収容部を有するＩＣカードコネクタにおいては、各カード収容部は、一部を互いに重複するようにＩＣカードの着脱方向に沿って階層的に形成されている。各カード収容部には、各ＩＣカードのコンタクトパッドに対応したコンタクト端子群がそれぞれ個別に設けられている。
【０００５】
斯かる構成においては、所定のＩＣカードの正規のカード収容部とは異なる他のカード収容部への使用者による誤った挿入操作の回避、あるいは、挿入操作のとき、そのＩＣカードによって利用されないコンタクト端子群の損傷を回避しつつ、ＩＣカードの円滑な着脱を可能とすることが必要とされる。
【０００６】
この必要な対策として、例えば、特許文献１および２にも示されるように、所定のＩＣカードの誤ったカード収容部への挿入操作を規制する誤挿入規制部材を含む誤挿入防止機構を、共通のカードスロット近傍の内部に備えるものが提案されている。
【０００７】
誤挿入防止機構は、例えば、第１のＩＣカードに比べて比較的横幅の狭い第２のＩＣカードの第１のＩＣカード用のカード収容部への誤った挿入操作を規制する誤挿入規制部材と、第２のＩＣカードの挿入を規制する第１の状態（ロック状態）と、比較的横幅の広い第１のＩＣカードの挿入を可能とする第２の状態（アンロック状態）とを誤挿入規制部材にとらせるロック／アンロック機構と、誤挿入規制部材をカード挿入方向とは反対方向に付勢する付勢部材とを含んで構成されている。
【０００８】
その誤挿入規制部材は、各ＩＣカードの着脱方向に対し略直交しカード収容部のカードスロット側の端部を横切り跨るように延在している。誤挿入規制部材の下方には、第１のＩＣカードが通過し得る狭い開口が形成されている。誤挿入規制部材の両端部は、それぞれ、移動可能にカード収容部の周辺に支持されるとともに、上述のロック／アンロック機構におけるロック用部材の係合部に選択的に係合可能とされる構成を有している。ロック用部材の係合部は、弾性変位可能とされる。
【０００９】
斯かる構成において、誤挿入規制部材は、その両端部がそれぞれロック用部材の係合部に係合される場合、上述の第１の状態にロック状態とされる。即ち、ロック状態とされる誤挿入規制部材により、第２のＩＣカードの第１のＩＣカード用のカード収容部への挿入操作が規制されることとなる。第２のＩＣカードは、誤挿入規制部材の下方の狭い開口を通じて所定のカード収容部に装着されることとなる。
【００１０】
一方、第１のＩＣカードが装着される場合、そのＩＣカードの先端がカードスロットを通過した直後に、挿入されるＩＣカードの両側部により、それぞれロック用部材が押圧されることにより、誤挿入規制部材の両端部がそれぞれロック用部材の係合部に対し非係合状態とされる。
【００１１】
これにより、誤挿入規制部材はロック状態からアンロック状態とされ、さらにＩＣカードが上述の付勢部材の付勢力に抗して押し込まれることによって、例えば、その誤挿入規制部材がＩＣカードの通路から待機するように移動されるとともに、第１のＩＣカードが誤挿入規制部材の上方を通過して第１のＩＣカード用のカード収容部に装着されることとなる。
【００１２】
【特許文献１】特開２００４−３１１４１６号公報
【特許文献２】特開２００４−１９３１１１号公報
【発明の開示】
【発明が解決しようとする課題】
【００１３】
上述のような誤挿入防止機構を備えるＩＣカードコネクタにおいて、使用者により各ＩＣカードが、コンタクトパッドが設けられていない端部側を進行方向に向けてその端部からカード収容部に誤って挿入される場合、所謂、ＩＣカードの逆差しが行なわれる場合がある。
【００１４】
このような場合、第１のＩＣカードの逆差しにおいては、ロック／アンロック機構により誤挿入規制部材がロック状態からアンロック状態とされても、第１のＩＣカードの端部がカード収容部内に設けられるイジェクト機構に装着できないのでカード収容部へのさらなる挿入操作が阻止されることとなる。
【００１５】
しかしながら、第２のＩＣカードの逆差しにおいては、第２のＩＣカードの一方の側部により、一方のロック用部材が押圧されることにより、誤挿入規制部材の一端部がロック用部材の係合部に対し非係合状態とされ、さらに誤挿入規制部材が第２のＩＣカードの端部で押圧され移動した場合、上述の付勢部材の付勢力およびロック用部材の復元力とが釣り合い、誤挿入規制部材の一端がアンロック状態に保持される場合がある。
【００１６】
このような場合、続いて、第２のＩＣカードの他方の側部により、同様な方法により、他方のロック用部材が押圧され、さらに誤挿入規制部材が第２のＩＣカードの端部で押圧され移動した場合、誤挿入規制部材の両端部がそれぞれアンロック状態となり、第１のＩＣカードが誤って逆差しの状態で挿入され、コンタクト端子を損傷する虞がある。
【００１７】
以上の問題点を考慮し、本発明は、ＩＣカード誤挿入防止機構、およびそれを複合のカード収容部内に備えるＩＣカード用コネクタであって、複数のＩＣカードの誤った逆差しの挿入を確実に回避できるＩＣカード誤挿入防止機構、および、それを備えるＩＣカード用コネクタを提供することを目的とする。
【課題を解決するための手段】
【００１８】
上述の目的を達成するために、本発明に係るＩＣカード誤挿入防止機構は、ＩＣカード収容部にＩＣカードの着脱方向を横切る方向に延在し回動可能に支持され、第１のＩＣカードがＩＣカード収容部に装着されるとき、第１のＩＣカードの進行方向の端部が一方向に向くようにＩＣカードの進行方向の端部を誘導する第１の位置の状態をとり、第２のＩＣカードが該ＩＣカード収容部に装着されるとき、第２のＩＣカードの進行方向の端部が他方向に向かうように誘導する第２の位置の状態をとる誤挿入規制部材と、誤挿入規制部材を第１のＩＣカードの排出方向に付勢する付勢部材と、誤挿入規制部材の両端に形成される係合部に係合される開口部を有する弾性変位可能な可動片をそれぞれ有し、第２のＩＣカードが該ＩＣカード収容部に装着されるとき、誤挿入規制部材の第２の位置を選択的に維持する一対のロック部材と、を備え、第２のＩＣカードの端部が進行方向に向けられて第２のＩＣカードが挿入される場合、一対のロック部材のうちの一方のロック部材の可動片の開口部が誤挿入規制部材の係合部のうちの一方に対し離隔され、誤挿入規制部材が所定角度だけ回動されるとき、誤挿入規制部材の係合部のうちの少なくとも他方の係合部は、一対のロック部材のうちの他方のロック部材の開口部の周縁に係合する切欠部を有することを特徴とする。
【００１９】
また、本発明に係るＩＣカード誤挿入防止機構は、ＩＣカード収容部にＩＣカードの着脱方向に沿って摺動しつつ昇降動可能に設けられ、第１のＩＣカードが該ＩＣカード収容部に装着されるとき、第１のＩＣカードの進行方向の端部が一方向に向かうように第１のＩＣカードの進行方向の端部を誘導する第１の位置の状態をとり、第２のＩＣカードがＩＣカード収容部に装着されるとき、第２のＩＣカードの進行方向の端部が他方向に向かうように誘導する第２の位置の状態をとる誤挿入防止用可動部材と、誤挿入防止用可動部材に第１の位置または第２の位置をとらせる位置制御機構部と、誤挿入防止用可動部材に連結される一対の可動板駆動部材と、第１および第２のＩＣカードの着脱に応じて可動板駆動部材の移動を選択的に規制するロック部材とを含むロック／アンロック機構とを備え、第２のＩＣカードが、進行方向の端部が一方向に向かうようにＩＣカード収容部に装着されるとき、一対の可動板駆動部材のうちの一方の可動板駆動部材がロック部材によりアンロック状態とされ、誤挿入防止用可動部材の移動に伴い一対の可動板駆動部材のうちの他方の可動板駆動部材が移動される場合、他方の可動板駆動部材の突起片がロック部材の係止部に係止されることを特徴とする。
【００２０】
さらに、本発明に係るＩＣカード用コネクタは、形状が互いに異なる第１および第２のＩＣカードのうちの１つのＩＣカードが選択的に通過可能なカードスロットを有するとともに、該第１および第２のＩＣカードの電極部を電気的に接続する複数種類のコンタクト端子群を有し、該第１または第２のＩＣカードを収容するＩＣカード収容部と、上述のいずれか一方のＩＣカード誤挿入防止機構と、を備えて構成される。
【発明の効果】
【００２１】
以上の説明から明らかなように、本発明に係るＩＣカード誤挿入防止機構、および、それを備えるＩＣカード用コネクタは、第２のＩＣカードの端部が進行方向に向けられて第２のＩＣカードが挿入される場合、一対のロック部材のうちの一方のロック部材の可動片の開口部が誤挿入規制部材の係合部のうちの一方に対し離隔され、誤挿入規制部材が所定角度だけ回動されるとき、誤挿入規制部材の係合部のうちの少なくとも他方の係合部は、一対のロック部材のうちの他方のロック部材の開口部の周縁に係合する切欠部を有するので複数のＩＣカードの誤った逆差しの挿入を確実に回避できる。
【発明を実施するための最良の形態】
【００２２】
図２は、本発明に係るＩＣカード用コネクタの第１実施例の外観を示す。
【００２３】
図２に示されるＩＣカード用コネクタは、所定の電子機器、例えば、携帯電話機、ＰＤＡ、カメラ等の内部に配されるものとされる。
【００２４】
図２に示されるＩＣカード用コネクタは、例えば、そのカード収容部に着脱可能に収容されるＩＣカードとしてのメモリカード、例えば、第１のＩＣカードとしてのＳＤカード（ｓｅｃｕｒｅ  ｄｅｇｉｔａｌ ｃａｒｄ）（商標）ＭＣ、または、第２のＩＣカードとしてのｍｉｎｉＳＤカード（商標）ＳＭＣ（図１１（Ａ）、図１２参照）のうちのいずれかの電極部と所定の電子機器の内部に配される信号入出力用等の基板の接続端子部とを電気的に接続するものとされる。なお、ＩＣカードは、上述のＳＤカード、ｍｉｎｉＳＤカードに限られることなく、互いに横幅の異なる二種類のＭＭＣ（multi media card）カード（商標）、フラッシュメモリまたは超小型のハードディスクを内蔵したメモリカード、ＳＩＭ（ｓｕｂｓｃｒｉｂｅｒ  ｉｄｅｎｔｉｔｙ  ｍｏｄｕｌｅ）カード等のいずれかの中から選択されるものであってもよい。
【００２５】
ＳＤカードＭＣは、例えば、厚さ約２．１ｍｍ、縦横の寸法がそれぞれ約３２ｍｍ、約２４ｍｍに設定されている。また、ｍｉｎｉＳＤカードＳＭＣは、例えば、厚さ約１．４ｍｍ、縦横の寸法がそれぞれ約２１．５ｍｍ、約２０ｍｍに設定されている。
【００２６】
ＩＣカード用コネクタは、収容されるＳＤカードＭＣまたはｍｉｎｉＳＤカードＳＭＣに対する電気的接続を行う複数のコンタクト端子等が配列されるベース部材１２と、ベース部材１２と協働して各カードの複合の収容部を形成するカバー部材１０とを含んで構成されている。
【００２７】
門形状断面形状を有するカバー部材１０は、薄板の金属材料で形成されている。カバー部材１０の一方の側面部には、図２に示されるように、後述するベース部材１２の爪部がそれぞれ、係合される係合孔１０ａ，１０ｂ，１０ｃおよび１０ｄがその爪部に対応して形成されている。カバー部材１０の他方の側面部には、後述するベース部材１２の爪部がそれぞれ、係合される複数の係合孔（不図示）が形成されている。
【００２８】
従って、カバー部材１０は、その各係合孔１０ａ〜１０ｄ等と、ベース部材１２の各爪部とがそれぞれ係合されることにより、ベース部材１２に対し固定されることとなる。
【００２９】
また、図２に示されるように、カバー部材１０の両側面部を連結する上面部における一方の側面部側には、後述するイジェクト機構２４におけるカムレバー２４Ｌを移動可能に支持する押さえバネ１０ｆが設けられている。弾性を有する押さえバネ１０ｆの基端部は、カバー部材１０に一体に形成されている。押さえバネ１０ｆは、例えば、カバー部材１０の一部がプレス加工によりその内側に向けて打ち抜かれて形成されている。従って、カバー部材１０における押さえバネ１０ｆに対応する部分の周囲には、開口が形成されている。
【００３０】
ベース部材１２におけるカード収容部１４は、図６および図７に示されるように、上方、および後述するコンタクト端子固定部側とは反対側の端部が、開口している。カード収容部１４は、その上方側部分に、ＳＤカードＭＣが収容され、その下方側部分にその一部重複してｍｉｎｉＳＤカードＳＭＣが収容されるような複合的なカード収容部とされる。
【００３１】
従って、上述のカバー部材１０によりベース部材１２が覆われることにより、カード収容部１４の一方の端部にＳＤカードＭＣおよびｍｉｎｉＳＤカードＳＭＣのうちの一方が選択的に通過される共通のカードスロットが形成されることとなる。
【００３２】
その共通のカードスロットとしての開口端部は、図４に示されるように、挿入されるＳＤカードＭＣおよびｍｉｎｉＳＤカードＳＭＣの形状に対応した階段形状の横断面を有している。
【００３３】
その開口端部は、図５に拡大されて示されるように、略長方形横断面を有し、ｍｉｎｉＳＤカードＳＭＣが通過する第１の案内部１２Ｓａと、大小の略長方形を重ねたような横断面を有しＳＤカードＭＣが通過する第２の案内部１２Ｓｂと、第１の案内部１２Ｓａの上端と第２の案内部１２Ｓｂの下端とを連結する一対の斜面部１２Ｓｄとにより形成されている。
【００３４】
第２の案内部１２Ｓｂの横幅は、挿入されるＳＤカードＭＣの両側部に対し所定の隙間を形成するようにその下方に形成される第１の案内部１２Ｓａの横幅よりも大に設定されている。また、第１の案内部１２Ｓａの横幅は、挿入されるｍｉｎｉＳＤカードＳＭＣの両側部に対し所定の隙間を形成するように設定されている。
【００３５】
一対の斜面部１２Ｓｄは、第１の案内部１２Ｓａの上端と第２の案内部１２Ｓｂの下端とに対し所定の勾配をもって形成されている。
【００３６】
これにより、ＭＭＣカードＭＣおよびｍｉｎｉＳＤカードＳＭＣの進行方向側の端部は、それぞれ、上方側に、または、下方側に向けて第２の案内部１２Ｓｂおよび第１の案内部１２Ｓａに案内されて通過することとなる。
【００３７】
その際、ｍｉｎｉＳＤカードＳＭＣの先端部が、図５に拡大されて示されるように、誤って第２の案内部１２Ｓｂに挿入された場合であって、ｍｉｎｉＳＤカードＳＭＣの側部が第２の案内部１２Ｓｂの下部および斜面部１２Ｓｄに干渉し、放置されるとき、ｍｉｎｉＳＤカードＳＭＣの先端部は、斜面部１２Ｓｄによって図５に示される矢印の示す方向に沿って第１の案内部１２Ｓａに誘い込まれることとなる。
【００３８】
ベース部材１２は、例えば、成形樹脂材料で一体に成形されている。ベース部材１２は、図６に示されるように、ＳＤカードＭＣおよびｍｉｎｉＳＤカードＳＭＣが着脱可能に収容されるカード収容部１４の両側部をそれぞれ形成する側壁１２ＲＷ、１２ＬＷと、ｍｉｎｉＳＤカードＳＭＣ用のコンタクト端子１８ａｉ（ｉ＝１〜１０）、ＳＤカードＭＣ用のコンタクト端子１６ａｉ（ｉ＝１〜９）が配されるコンタクト端子固定壁部１２ＦＷとを含んで構成されている。
【００３９】
側壁１２ＬＷの外面には、図７に示されるように、上述のカバー部材１０の係合孔１０ａ，１０ｂ，１０ｃおよび１０ｄに対応して爪部１２ａ，１２ｂ、１２ｃ、および１２ｄが形成されている。側壁１２ＲＷの外面にも、図示が省略されるが、同様な爪部が上述のカバー部材１０の係合孔に対応して複数箇所に形成されている。
【００４０】
例えば、複数のコンタクト端子１６ａｉは、図６に示されるように、所定の相互間隔で側壁１２ＲＷ，１２ＬＷに対して略平行に、カード収容部１４におけるコンタクト端子固定壁部１２ＦＷに近い部分に配列されている。また、複数のコンタクト端子１８ａｉは、所定の相互間隔で側壁１２ＲＷ，１２ＬＷに対して略平行に、カード収容部１４におけるカードスロットに近い位置に配列されている。
【００４１】
コンタクト端子１６ａｉは、弾性を有しＳＤカードＭＣのコンタクトパッドに当接し電気的に接続される接点部と、配線基板（不図示）の電極部に半田付け固定され電気的に接続される半田付端子部と、その接点部と半田付端子部とを相互に連結し、ベース部材１２に固定される固定部とを含んで構成されている。薄板金属材料、例えば、バネ用燐青銅で作られるコンタクト端子１６ａｉの固定部は、図示が省略されるが、コンタクト端子固定壁部１２ＦＷに形成される溝に、コンタクト端子固定壁部１２ＦＷに形成される透孔を通じてＳＤカードＭＣの挿入方向とは反対方向の側から圧入されることにより、ベース部材１２に固定されている。
【００４２】
コンタクト端子１８ａｉは、弾性を有しｍｉｎｉＳＤカードＳＭＣのコンタクトパッドに当接し電気的に接続される接点部と、上述の配線基板の電極部に半田付け固定され電気的に接続される半田付端子部と、その接点部と半田付端子部とを相互に連結し、ベース部材１２に固定される固定部とを含んで構成されている。コンタクト端子１８ａｉの固定部は、図示が省略されるカード収容部１４の底部に形成される溝に、ｍｉｎｉＳＤカードＳＭＣの挿入方向側から圧入されることにより、ベース部材１２に固定されている。コンタクト端子１８ａｉが配置されている位置よりもカードスロット側には、挿入されたｍｉｎｉＳＤカードＳＭＣを上方に向けて付勢する複数の弾性片２６が互いに平行に設けられている。
【００４３】
コンタクト端子１８ａｉの上方には、挿入されたＳＤカードＭＣをコンタクト端子１６ａｉに向けて案内する仕切板３０が設けられている。
【００４４】
また、コンタクト端子１６ａｉおよび１８ａｉの半田付端子部は、図７に示されるように、それぞれ、コンタクト端子固定壁部１２ＦＷの孔を通じて外部に向けて突出している。
【００４５】
側壁１２ＲＷの内側部分には、図６に示されるように、ＳＤカードＭＣをカード収容部１４に保持するとともに、カード収容部１４からＳＤカードＭＣを選択的に排出するイジェクト機構２４が設けられている。
【００４６】
イジェクト機構２４は、ベース部材１２に対し移動可能に支持され、ＳＤカードＭＣを選択的に保持するイジェクタ部材２４Ｊと、ベース部材１２のコンタクト端子固定壁部１２ＦＷに隣接する壁およびイジェクタ部材２４Ｊ相互間に介装され、イジェクタ部材２４ＪをＳＤカードＭＣの排出方向に付勢するコイルスプリング２４Ｓと、ＳＤカードＭＣの着脱操作に応じてイジェクタ部材２４Ｊを選択的にベース部材１２に対し保持または解放する制御を行うイジェクト部材制御部と、を含んで構成されている。
【００４７】
イジェクト部材制御部は、特開２００４−３１１４１６号公報にも示されるようなイジェクタ部材２４Ｊにおける側壁１２ＲＷ側に形成された略ハート形状のカム要素（ハートカム）と、ハートカムの周囲に形成された複数の段差部からなるレバー案内溝と、一方の端部が側壁１２ＲＷの孔に連結され、他方の端部がレバー案内溝に沿って摺動せしめられる門形状のカムレバー２４Ｌと、上述のカバー部材１０の押えバネ１０ｆ（図２参照）とを含んで構成されている。
【００４８】
押えバネ１０ｆは、カムレバー２４Ｌの屈曲された先端をレバー案内溝の案内面に対し摺接するように付勢するものとされる。これにより、カムレバー２４Ｌの一端部が、イジェクト部材２４Ｊの動作に追従してレバー案内溝を構成する各案内溝を順次、経由して案内され、ハートカムに形成されるカム面に一旦、保持されることによって、ＳＤカードＭＣを伴うイジェクタ部材２４Ｊがカード収容部１４内に保持されることとなる。そして、ＳＤカードＭＣのさらなる押し込み操作により、そのカムレバー２４Ｌの一端部が、カム面から離隔されるとき、ＳＤカードＭＣを伴うイジェクタ部材２４Ｊがコイルスプリング２４Ｓの付勢力によりカード排出方向に移動せしめられる。
【００４９】
また、イジェクタ部材２４Ｊには、図７に示されるように、挿入されたｍｉｎｉＳＤカードＳＭＣを選択的に保持するイジェクト部材２４ＪＳが一体に形成されている。イジェクト部材２４ＪＳは、イジェクタ部材２４Ｊの位置よりも所定距離だけカードスロット側に近い位置にイジェクタ部材２４Ｊに対し略平行に配置されている。また、イジェクト部材２４ＪＳは、イジェクタ部材２４Ｊの位置より若干低い位置に配されている。これにより、ｍｉｎｉＳＤカードＳＭＣも上述のイジェクト機構２４により同様な動作でカード排出方向に移動せしめられる。
【００５０】
側壁１２ＬＷにおけるイジェクト機構２４に相対向した部分には、ＳＤカードＭＣの有無およびＳＤカードＭＣのライトプロテクトボタンの位置を検出する検出スイッチ群３８が設けられている。
【００５１】
さらに、カード収容部１４におけるカードスロットの一部を形成する側壁１２ＲＷ、１２ＬＷの内側には、カード誤挿入防止機構が設けられている。カード誤挿入防止機構は、図６および図７に示されるように、挿入されるｍｉｎｉＳＤカードＳＭＣの進行方向の端部が当接することにより、ｍｉｎｉＳＤカードＳＭＣのコンタクト端子１６ａｉへの誤った侵入を規制する誤挿入規制部材２２と、誤挿入規制部材２２をロック状態、またはアンロック状態とする一対のロック部材２８Ｒ、２８Ｌと、誤挿入規制部材２２を一方向に付勢するねじりコイルバネ３２とを含んで構成されている。
【００５２】
クランクのように形成される誤挿入規制部材２２は、図８（Ａ）および（Ｂ）に拡大されて示されるように、両端に軸部２２ＳＬ、２２ＳＲを有するとともに、軸部２２ＳＬと軸部２２ＳＲとを連結する連結部２２Ｔを中央部に有している。
【００５３】
円柱状の軸部２２ＳＬ、２２ＳＲは、それぞれ、ベース部材１２のカード収容部１４内に形成される軸受部に回動可能に支持されている。また、軸部２２ＳＬ、２２ＳＲの半径方向の移動は、図１に拡大されて示されるように、それぞれ、後述するロック部材２８Ｒ、２８Ｌの可動片２８Ｒｍおよび２８Ｌｍの円弧部により規制されている。軸部２２ＳＬ、２２ＳＲの外周部には、それぞれ、ねじりコイルバネ３２（図６および図１０参照）が巻装されている。ねじりコイルバネ３２の一端は、誤挿入規制部材２２の端部に係止され、また、ねじりコイルバネ３２の他端は、ベース部材１２の側壁部に係止されている。これにより、誤挿入規制部材２２は、図１０に示される矢印Ｆの示す方向、即ち、軸部２２ＳＬ、２２ＳＲを中心としてＳＤカードＭＣの排出方向となる時計回り方向に付勢されることとなる。
【００５４】
連結部２２Ｔは、長手方向の一方の端部に、挿入されるＳＤカードＭＣまたはｍｉｎｉＳＤカードＳＭＣの端部が当接する当接面２２ｔを有している。図８（Ａ）および（Ｂ）において、当接面２２ｔにおける左端の一部には、所定の深さおよび勾配を有する窪み２２Ｋがその長手方向に沿って所定の長さだけ形成されている。
【００５５】
軸部２２ＳＬ、２２ＳＲがそれぞれ連結される連結部２２Ｔの両端には、後述するロック部材２８Ｒ、２８Ｌの可動片２８Ｒｍおよび２８Ｌｍの開口部２８Ｈの周縁部にそれぞれ、係止される切欠部２２Ｎが形成されている。切欠部２２Ｎは、上述の連結部２２Ｔにおける当接面２２ｔに対向する端面に形成されている。
【００５６】
従って、可動片２８Ｒｍおよび２８Ｌｍの開口部２８Ｈの周縁部に係合される鉤状の係合部２２ＥＲおよび２２ＥＬが、連結部２２Ｔの両端に形成されることとなる。
【００５７】
一対のロック部材２８Ｒ、２８Ｌは、互いに同一の構造を有するのでロック部材２８Ｒについて説明し、ロック部材２８Ｌの説明を省略する。
【００５８】
ロック部材２８Ｒは、ベース部材１２の側壁１２ＲＷに直線状に形成される溝１２ｇに圧入される固定片２８Ｒｆと、固定片２８Ｒｆの一端に一体に形成される可動片２８Ｒｍとを含んで構成されている。
【００５９】
可動片２８Ｒｍにおける固定片２８Ｒｆの一端に連なる部分には、湾曲部が、ＳＤカードＭＣの側部が通過する部分に張り出すように形成されている。これにより、ロック部材２８Ｒの湾曲部と相対向するロック部材２８Ｌの湾曲部との相互間距離は、ＳＤカードＭＣの横幅寸法よりも若干小なる寸法であって、ｍｉｎｉＳＤカードＳＭＣの横幅寸法よりも大なる寸法とされる。
【００６０】
可動片２８Ｒｍの一端には、図９に示されるように、上述の誤挿入規制部材２２の係合部２２ＥＲが挿入される矩形状の開口部２８Ｈが形成されている。開口部２８Ｈの周縁と係合部２２ＥＲの外周部との間には、可動片２８Ｒｍの一端が移動し得るような所定の隙間が形成されている。また、可動片２８Ｒｍの湾曲部に隣接して可動片２８Ｒｍの初期位置を規制するストッパ片２０が設けられている。
【００６１】
これにより、ＳＤカードＭＣの側部がロック部材２８Ｒの湾曲部と相対向するロック部材２８Ｌの湾曲部との間を通過する場合、各湾曲部がＳＤカードＭＣの両側部によりそれぞれ押圧されるので可動片２８Ｒｍの開口部２８Ｈは、誤挿入規制部材２２の係合部２２ＥＲに対し離隔することとなる。従って、ロック部材２８Ｒ、２８Ｌは、誤挿入規制部材２２をアンロック状態とすることとなる。
【００６２】
一方、ロック部材２８Ｒの湾曲部と相対向するロック部材２８Ｌの湾曲部とを押圧する状態から非押圧状態とされる場合、例えば、ＳＤカードＭＣがカード収容部１４から排出された場合、可動片２８Ｒｍは、その湾曲部の復元力により、上述の初期の位置に戻り、開口部２８Ｈは、ねじりコイルバネ３２の付勢力により付勢され回動された誤挿入規制部材２２の係合部２２ＥＲに対し挿入されることとなる。従って、ロック部材２８Ｒ、２８Ｌは、誤挿入規制部材２２を再び、初期状態のようにロック状態とすることとなる。
【００６３】
斯かる構成において、ＳＤカードＭＣがカード収容部１４に装着される場合、図１１（Ａ）および（Ｂ）に示されるように、カードスロットを通過するＳＤカードＭＣの先端部により、ロック部材２８Ｒの湾曲部と相対向するロック部材２８Ｌの湾曲部とが互いに離隔する方向に押圧されることとなる。これにより、可動片２８Ｒｍおよび可動片２８Ｌｍの開口部２８Ｈが、それぞれ、誤挿入規制部材２２の係合部２２ＥＲおよび２２ＥＬに対し離隔せしめられる。従って、誤挿入規制部材２２は、アンロック状態とされる。
【００６４】
次に、ＳＤカードＭＣの先端部がさらに進行方向に沿って挿入されることにより、ＳＤカードＭＣの先端部が誤挿入規制部材２２の当接面２２ｔに当接した状態で誤挿入規制部材２２がネジリコイルバネ３２の付勢力に抗して回動されることにより、図１１（Ｂ）に示されるように、誤挿入規制部材２２の真上を通過してイジェクト部材２４Ｊにより所定位置に保持されることとなる。
【００６５】
また、図１１（Ｃ）に示されるように、ＳＤカードＭＣの先端部が所定の角度α以内の角度で傾けられた状態で挿入された場合であっても、例えば、ＳＤカードＭＣの先端部の角の斜面の一部がロック部材２８Ｒの湾曲部に当接し、対辺の一部が相対向するロック部材２８Ｌの湾曲部に当接する場合、その二つの当接部Ｃａ、当接部Ｃｂにより、ロック部材２８Ｒの湾曲部と相対向するロック部材２８Ｌの湾曲部とが互いに離隔する方向に容易に押圧されることとなる。その角度αとは、ＳＤカードＭＣの中心軸線ＣＬが側壁１２ＲＷに平行な直線となす角度をいう。
【００６６】
その際、ＳＤカードＭＣの先端部の端面が誤挿入規制部材２２の当接面２２ｔに接触しないようにＳＤカードＭＣの先端部の端面と誤挿入規制部材２２の当接面２２ｔにおける窪み２２Ｋとの間に所定の隙間Ｇａが形成されることにより、誤挿入規制部材２２が上述のようにロック状態となる虞がなく、ＳＤカードＭＣの先端部が誤挿入規制部材２２の真上を通過することとなる。従って、ＳＤカードＭＣの先端部が一方向に若干傾けられた状態で挿入された場合であっても、誤挿入規制部材２２が上述のようにロック状態となるようにカード誤挿入防止機構が作動することなく、ＳＤカードＭＣの円滑な装着動作が可能となる。
【００６７】
一方、ＳＤカードＭＣがカード収容部１４から取り出される場合、ＳＤカードＭＣがさらに若干押し込まれることにより、イジェクト機構のコイルスプリング２４Ｓの付勢力により、イジェクト部材２４ＪとともにＳＤカードＭＣが排出方向に移動せしめられる。その際、誤挿入規制部材２２がねじりコイルバネ３２の付勢力により、カードスロット側に向けて回動されるとともに、ロック部材２８Ｒの可動片２８Ｒｍの開口部２８Ｈと相対向するロック部材２８Ｌの可動片Ｌｍの開口部２８Ｈが、その復元力により、係合部２２ＥＲおよび２２ＥＬに対向する位置に戻り、挿入される。これにより、誤挿入規制部材２２が再び、初期のロック状態に戻される。
【００６８】
ｍｉｎｉＳＤカードＳＭＣがカード収容部１４の正規の位置に装着される場合、図１２に示されるように、挿入されたｍｉｎｉＳＤカードＳＭＣの先端が、カードスロットの案内部１２Ｓａおよびロック部材２８Ｒの湾曲部と相対向するロック部材２８Ｌの湾曲部との相互間を通過し、誤挿入規制部材２２の連結部２２Ｔの真下を通過して正規の下方のカード収容部の部位に導入されることとなる。その際、上述のイジェクト部材２４ＪＳにより所定位置に保持されることとなる。
【００６９】
一方、ｍｉｎｉＳＤカードＳＭＣがカード収容部１４から取り出される場合、ｍｉｎｉＳＤカードＭＣがさらに若干押し込まれることにより、イジェクト機構のコイルスプリング２４Ｓの付勢力により、イジェクト部材２４ＪＳとともにｍｉｎｉＳＤカードＳＭＣが排出方向に移動せしめられる。
【００７０】
ｍｉｎｉＳＤカードＳＭＣが誤ってコンタクトパッドが形成されていない端部が進行方向に向けられて挿入された場合、例えば、図１３（Ａ）に示されるように、先ず、その進行方向の端部が誤挿入規制部材２２の当接面２２ｔに当接し、その進行方向の端部の左側側部がロック部材２８Ｌの湾曲部を押圧したとき、上述したように、可動片２８Ｌｍがストッパ片２０および誤挿入規制部材２２の係合部２２ＥＬから離隔され、誤挿入規制部材２２は、アンロック状態とされる。
【００７１】
次に、図１３（Ｂ）に示されるように、アンロック状態とされた誤挿入規制部材２２の当接面２２ｔが、ｍｉｎｉＳＤカードＳＭＣにおける進行方向の端部でねじりコイルバネ３２の付勢力に抗してさらに押圧されるとき、図１に拡大されて示されるように、ねじりコイルバネ３２の付勢力と可動片２８Ｌｍの復元力とが釣り合い、誤挿入規制部材２２の係合部２２ＥＬの端面が可動片２８Ｌｍに当接した状態で保持されることとなる。その際、誤挿入規制部材２２の係合部２２ＥＲは、その切欠部２２Ｎの一部が開口部２８Ｈの周縁に嵌まるように図１０にニ点鎖線で示される状態から一点鎖線で示される状態に回転せしめられる。従って、係合部２２ＥＲはアンロック状態とはならないので誤挿入規制部材２２は、ｍｉｎｉＳＤカードＳＭＣの誤った挿入操作を阻止することとなる。
【００７２】
続いて、図１３（Ｃ）に示されるように、ｍｉｎｉＳＤカードＳＭＣにおける進行方向の端部が誤挿入規制部材２２の当接面２２ｔに当接した状態で、その進行方向の端部の右側側部がロック部材２８Ｒの湾曲部を押圧したとき、上述したように、誤挿入規制部材２２の係合部２２ＥＲは、その切欠部２２Ｎの一部が開口部２８Ｈの周縁に嵌まるように図１０にニ点鎖線で示される状態から一点鎖線で示される状態に回転せしめられているので誤挿入規制部材２２の係合部２２ＥＲが、ロック部材２８Ｒの開口部２８Ｈに対してロック状態が維持され、アンロック状態とはならない。従って、誤挿入規制部材２２は、ｍｉｎｉＳＤカードＳＭＣの挿入操作を阻止することとなる。
【００７３】
そして、図１３（Ｄ）、（Ｅ）に示されるように、ｍｉｎｉＳＤカードＳＭＣにおける進行方向の端部が誤挿入規制部材２２の当接面２２ｔに対しカード排出方向に離隔したとき、誤挿入規制部材２２の係合部２２ＥＬは、コイルバネ３２の付勢力により初期位置に戻されることにより、その係合部２２ＥＬは、ロック部材２８Ｌの開口部２８Ｈに対してロック状態に戻ることとなる。
【００７４】
図１４は、本発明に係るＩＣカード用コネクタの第２実施例を示す。
【００７５】
図２に示される例では、カード誤挿入防止機構における誤挿入規制部材２２は、ベース部材１２に回動可能に支持される構成において、ｍｉｎｉＳＤカードＳＭＣの誤った挿入操作を阻止するものとされるが、一方、図１４に示される例においては、カード誤挿入防止機構におけるカード誤挿入防止用可動板４４は、ベース部材４２に対し昇降動可能に支持される構成において、ｍｉｎｉＳＤカードＳＭＣの誤った挿入操作を阻止するものとされる。なお、後述する図１５において、図２に示される例において同一の構成要素とされる要素について同一の符号を付して示し、その重複説明を省略する。
【００７６】
斯かるＩＣカード用コネクタも、所定の電子機器、例えば、携帯電話機、ＰＤＡ、カメラ等の内部に配されるものとされる。
【００７７】
図１４に示されるＩＣカード用コネクタも、上述の例と同様に、例えば、第１のＩＣカードとしてのＳＤカードＭＣ、または、第２のＩＣカードとしてのｍｉｎｉＳＤカード（商標）ＳＭＣのうちのいずれかの電極部と所定の電子機器の内部に配される信号入出力用等の基板の接続端子部とを電気的に接続するものとされる。
【００７８】
ＩＣカード用コネクタは、収容されるＳＤカードＭＣまたはｍｉｎｉＳＤカードＳＭＣに対する電気的接続を行う複数のコンタクト端子等が配列されるベース部材４２と、ベース部材４２と協働して各カードの複合の収容部を形成するカバー部材４０とを含んで構成されている。
【００７９】
門形状断面形状を有するカバー部材４０は、薄板の金属材料で形成されている。
【００８０】
カバー部材１０は、その側面部に形成される各係合孔等（不図示）と、ベース部材４２の各爪部とがそれぞれ係合されることにより、ベース部材４２に対し固定されている。
【００８１】
また、図１４に示されるように、カバー部材４０の両側面部を連結する上面部における中央部には、開口部４０ａが形成されている。開口部４０ａの周縁には、後述する誤挿入防止用可動板を下方に向けて付勢する板状の弾性片４０Ｄの一端が連結されている。弾性片４０Ｄの他端は、開口部４０ａ内に突出している。また、開口部４０ａに隣接して複数の開口部４０ｂが所定の間隔をもって形成されている。
【００８２】
その上面部における一方の側面部側には、後述するイジェクト機構６０におけるカムレバーを移動可能に支持する押さえバネ４０Ｅが設けられている。弾性を有する押さえバネ４０Ｅの基端部は、カバー部材４０に一体に形成されている。押さえバネ４０Ｅは、例えば、カバー部材４０の一部がプレス加工によりその内側に向けて打ち抜かれて形成されている。従って、カバー部材４０における押さえバネ４０Ｅに対応する部分の周囲には、開口が形成されている。
【００８３】
ベース部材４２におけるカード収容部は、上方、および後述するコンタクト端子固定部側とは反対側の端部が、開口している。カード収容部は、その上方側部分に、ＳＤカードＭＣが収容され、その下方側部分にその一部重複してｍｉｎｉＳＤカードＳＭＣが収容されるような複合的な収容部とされる。
【００８４】
その開口端部は、図示が省略されるが、挿入されるＳＤカードＭＣおよびｍｉｎｉＳＤカードＳＭＣの形状に対応した階段形状の横断面を有している。これにより、ＳＤカードＭＣおよびｍｉｎｉＳＤカードＳＭＣの進行方向側の端部は、それぞれ、上方側に、または、下方側に向けてその階段形状の両方の内壁面に案内されて通過することとなる。
【００８５】
従って、上述のカバー部材４０によりベース部材４２が覆われることにより、カード収容部の一方の端部にＳＤカードＭＣおよびｍｉｎｉＳＤカードＳＭＣのうちの一方が選択的に通過される共通のカードスロットが形成されることとなる。
【００８６】
ベース部材４２は、例えば、成形樹脂材料で一体に成形されている。ベース部材４２は、図１５に示されるように、ＳＤカードＭＣおよびｍｉｎｉＳＤカードＳＭＣが着脱可能に収容されるカード収容部の両側部をそれぞれ形成する側壁４２ＲＷ、４２ＬＷと、ｍｉｎｉＳＤカードＳＭＣ用のコンタクト端子４６ａｉ（ｉ＝１〜１０）、ＳＤカードＭＣ用のコンタクト端子４８ａｉ（ｉ＝１〜９）が配されるコンタクト端子固定壁部４２ＦＷとを含んで構成されている。
【００８７】
側壁４２ＬＷの外面には、爪部が形成されている。側壁４２ＲＷの外面にも同様な爪部が複数箇所に形成されている。
【００８８】
例えば、複数のコンタクト端子４８ａｉは、図１５に示されるように、所定の相互間隔で側壁４２ＲＷ，４２ＬＷに対して略平行に、カード収容部におけるコンタクト端子固定壁部４２ＦＷに近い部分に配列されている。また、複数のコンタクト端子４６ａｉは、所定の相互間隔で側壁４２ＲＷ，４２ＬＷに対して略平行に、カード収容部におけるカードスロットに近い位置に配列されている。
【００８９】
コンタクト端子４８ａｉは、弾性を有しＳＤカードＭＣのコンタクトパッドに当接し電気的に接続される接点部と、配線基板（不図示）の電極部に半田付け固定され電気的に接続される半田付端子部と、その接点部と半田付端子部とを相互に連結し、ベース部材４２に固定される固定部とを含んで構成されている。コンタクト端子４６ａｉは、弾性を有しｍｉｎｉＳＤカードＳＭＣのコンタクトパッドに当接し電気的に接続される接点部と、上述の配線基板の電極部に半田付け固定され電気的に接続される半田付端子部と、その接点部と半田付端子部とを相互に連結し、ベース部材４２に固定される固定部とを含んで構成されている。また、コンタクト端子４８ａｉおよび４６ａｉの半田付端子部は、それぞれ、コンタクト端子固定壁部４２ＦＷの孔を通じて外部に向けて突出している。
【００９０】
コンタクト端子固定壁部４２ＦＷの上端の略中央部には、カバー部材４０の折曲部が挿入され係合される溝が所定の幅で形成されている。カバー部材４０の折曲部のスリット４０Ｆには、後述する誤挿入防止用可動板４４のガイド部４４Ｇが移動可能に挿入され突出している。
【００９１】
側壁４２ＲＷの内側部分には、ＳＤカードＭＣをカード収容部に保持するとともに、カード収容部からＳＤカードＭＣを選択的に排出するイジェクト機構６０が設けられている。イジェクト機構６０は、上述の例におけるイジェクト機構２４の同様な構成とされるのでその構成の説明を省略する。
【００９２】
さらに、カード収容部におけるカバー部材４０と上述のコンタクト端子４８ａｉおよび４６ａｉとの間には、カード誤挿入防止機構が設けられている。
【００９３】
カード誤挿入防止機構は、カバー部材４０の真下に固定され、ロック部材５２Ｂを有するロック部材支持体５２と、ロック部材支持体５２の両側面部の内側にそれぞれカードの着脱方向に沿って移動可能に配され、一端が後述するカード誤挿入防止用可動板４４に連結される一対の可動板駆動部材６６Ｒ、６６Ｌと、ｍｉｎｉＳＤカードＳＭＣの上方の部屋への侵入を阻止するカード誤挿入防止用可動板４４と、可動板駆動部材６６Ｒ、６６Ｌを初期位置に戻すように付勢するリターンスプリング（不図示）とを主な要素として含んで構成されている。
【００９４】
ロック部材支持体５２は、略中央部に開口部５２ａを有している。開口部５２ａの周縁における側壁４２ＬＷ側には、それぞれ、ロック部材５２Ｂが形成されている。ロック部材５２Ｂの一端は、ロック部材支持体５２に弾性変位可能に結合されている。ロック部材５２Ｂの他端は、図１６に拡大されて示されるように、鉤状の係止部５２ｂｅを有している。係止部５２ｂｅは、可動板駆動部材６６Ｌにおける窪み６６ｂの周縁、または、窪み６６ｂの周縁に形成される鉤状の突起片６６ａ（図２０（Ｂ）参照）に選択的に係合するものとされる。突起片６６ａの先端は、可動板駆動部材６６Ｌの進行方向に向けて突出している。これにより、係止部５２ｂｅが窪み６６ｂの周縁に係合されるとき、可動板駆動部材６６Ｌにおけるカードの着脱方向に沿った移動が規制される、即ち、ロック状態とされる。
【００９５】
また、係止部５２ｂｅは、挿入されたＳＤカードＭＣの端部により上方に向けて押し上げられる場合、係止部５２ｂｅが可動板駆動部材６６Ｌの窪み６６ｂに対し非係合状態とされるので可動板駆動部材６６Ｌが解放され、アンロック状態とされる。
【００９６】
板状の可動板駆動部材６６Ｌは、図２０（Ｂ）に示されるように、後述する可動板駆動部材６６Ｒ（図２０（Ａ）参照）と同様な構成を有しており、その一方の側面の縁に形成される窪み６６ｂの周囲にロック部材５２Ｂの係止部５２ｂｅに略直交するように突出する突起片６６ａと、その他方の側面の縁に形成される突起部６６Ｅと、その一端側に屈曲したスプリング受け６６ＳＲと、その他端側に長孔６６ｈとを有している。
【００９７】
可動板駆動部材６６Ｌは、突起部６６Ｅをベース部材４２の表面に摺接させるように配置されている。
【００９８】
長孔６６ｈには、後述するカード誤挿入防止用可動板４４の連結端が挿入され連結されている。スプリング受け６６ＳＲは、ロック部材支持体５２の側面に形成される長孔を介して突出している。スプリング受け６６ＳＲには、リターンスプリング（不図示）の一端が係合されている。リターンスプリングの他端は、側壁４２ＬＷの段部に係合されている。
【００９９】
可動板駆動部材６６ＬがＳＤカードＭＣの端部によりリターンスプリング（不図示）の付勢力に抗して押圧され移動せしめられることにより、カード誤挿入防止用可動板４４がカード挿入方向に沿って移動せしめられることとなる。一方、ＳＤカードＭＣが排出される場合、可動板駆動部材６６Ｌがカード誤挿入防止用可動板４４とともにリターンスプリングの付勢力により初期の位置に戻されることとなる。
【０１００】
ロック部材支持体５２と側壁４２ＲＷとの間には、図１７に拡大されて示されるように、可動板駆動部材６６Ｒを選択的にロック状態とするロック部材７０が設けられている。
【０１０１】
ロック部材７０は、側壁４２ＲＷに固定される固定片部と、可動板駆動部材６６Ｒの突起部６６Ｅに選択的に係合する鉤状の係止端７０Ｅを有する可動片部とを含んで構成されている。その可動片部は、ＳＤカードＭＣが通過するとき、ＳＤカードＭＣの側部により押圧される湾曲部を係止端７０Ｅに連なり有している。その湾曲部は、ＳＤカードＭＣが通過するカード収容部内に突出している。その湾曲部がＳＤカードＭＣの側部により押圧される場合、係止端７０Ｅは、図１８に示される状態から可動板駆動部材６６Ｒの突起部６６Ｅの側方を通過して離隔し側壁４２ＲＷに向かうこととなる。これにより、可動板駆動部材６６Ｒは、アンロック状態となる。なお、図１７および図１８は、可動板駆動部材６６Ｒのロック状態を示す。
【０１０２】
カード誤挿入防止用可動板４４は、図１５に示されるように、ロック部材支持体５２の真下の位置に移動可能に配されている。
【０１０３】
略Ｔ字状のカード誤挿入防止用可動板４４は、可動板駆動部材６６がロック状態のとき、ｍｉｎｉＳＤカードＳＭＣの進行を下方に向けて導くカード誘導部と、カード誘導部の端に略垂直に交わるように連結されカード誤挿入防止用可動板４４を案内する案内部４４Ｇとを含んで構成されている。
【０１０４】
カード誘導部の両側面部には、ロック部材支持体５２の各案内溝（不図示）および可動板駆動部材６６Ｌ，６６Ｒの長孔６６ｈにそれぞれ係合される突起片が所定の間隔で形成されている。
【０１０５】
平板状の案内部４４Ｇは、カード誘導部の略中央部から長手方向に沿って一方側に偏倚した位置に連結されている。案内部４４Ｇは、その中央部に長孔４４ｇを有している。案内部４４Ｇの一端は、カバー部材４０の矩形状のスリット４０Ｆに移動可能に挿入されている。これにより、カード誤挿入防止用可動板４４は、スリット４０Ｆに案内されながら移動せしめられるので移動中、不所望に傾いた状態となる虞がない。
【０１０６】
斯かる構成において、ＳＤカードＭＣがカード収容部に装着される場合、カードスロットを通過するＳＤカードＭＣの先端部により、ロック部材７０の湾曲部、およびロック部材５２Ｂの係止部５２ｂｅが押圧され、各可動板駆動部材６６Ｒ，６６Ｌがそれぞれ、上述したように、アンロック状態とされるとき、各可動板駆動部材６６Ｒ，６６Ｌがカード収容部内に向かってリターンスプリングの付勢力に抗して移動せしめられる。
【０１０７】
これにより、カード誤挿入防止用可動板４４は、その突起片が各案内溝にそれぞれ係合され、摺動された後上昇せしめられることにより、カバー部材４０の内面に当接し、また、ＳＤカードＭＣがカード誤挿入防止用可動板４４の真下を通過しつつ上述のイジェクト部材により所定位置に保持されることとなる。
【０１０８】
一方、ＳＤカードＭＣがカード収容部から取り出される場合、ＳＤカードＭＣがさらに若干押し込まれることにより、イジェクト機構のコイルスプリングの付勢力により、イジェクト部材とともにＳＤカードＭＣが排出方向に移動せしめられるとともに、カード誤挿入防止用可動板４４が下降し始め、リターンスプリングの付勢力により各可動板駆動部材６６Ｒ，６６Ｌとともに初期位置に戻される。
【０１０９】
ｍｉｎｉＳＤカードＳＭＣがカード収容部の正規の位置に装着される場合、各可動板駆動部材６６Ｒ，６６Ｌがロック状態とされるので挿入されたｍｉｎｉＳＤカードＳＭＣの先端が、カード誤挿入防止用可動板４４の誘導部の端部でその真下に向けて規制され、正規の下方の部位の導入されることとなる。
【０１１０】
一方、ｍｉｎｉＳＤカードＳＭＣがカード収容部における上部側に誤って挿入され、ロック部材７０の湾曲部がｍｉｎｉＳＤカードＳＭＣの側部で押圧され、かつ、可動板駆動部材６６Ｒがアンロック状態とされる場合、ｍｉｎｉＳＤカードＳＭＣの進行方向の端部でカード誤挿入防止用可動板４４の誘導部がさらに押圧されるとき、カード誤挿入防止用可動板４４の若干の移動に伴い、図１９に拡大されて示されるように、可動板駆動部材６６Ｌが図２０（Ｂ）に示される矢印の示す方向に移動せしめられる。これにより、可動板駆動部材６６Ｌの突起片６６ａがロック部材５２Ｂの係止部５２ｂｅに係合されることとなる。従って、可動板駆動部材６６Ｌは、ロック状態とされるのでｍｉｎｉＳＤカードＳＭＣが誤ってカード収容部に挿入されることが確実に回避されることとなる。
【０１１１】
なお、ｍｉｎｉＳＤカードＳＭＣの側部で押圧され、かつ、ロック部材５２Ｂが可動板駆動部材６６Ｌがアンロック状態とされる場合においても、同様に、可動板駆動部材６６Ｒが図２０（Ａ）に示される矢印の示す方向に移動せしめられる。これにより、ロック部材７０の係止端７０Ｅに可動板駆動部材６６Ｒの突起部６６Ｅが係合せしめられる。従って、可動板駆動部材６６Ｒは、ロック状態とされるのでｍｉｎｉＳＤカードＳＭＣが誤ってカード収容部に挿入されることが確実に回避されることとなる。
【図面の簡単な説明】
【０１１２】
【図１】本発明に係るＩＣカード用コネクタの第１実施例の要部を部分的に拡大して示す斜視図である。
【図２】本発明に係るＩＣカード用コネクタの第１実施例の外観を示す斜視図である。
【図３】図２に示される例における平面図である。
【図４】図２に示される例における正面図である。
【図５】図４に示される部分を、ＩＣカードとともに拡大して示す正面図である。
【図６】図２に示される例におけるカバー部材を外した状態で示すベース部材の平面図である。
【図７】図２に示される例におけるカバー部材を外した状態で示すベース部材の斜視図である。
【図８】（Ａ）は、誤挿入規制部材を示す斜視図であり、（Ｂ）は、（Ａ）に示される誤挿入規制部材の正面図である。
【図９】図７における要部を拡大して部分的に示す斜視図である。
【図１０】誤挿入規制部材の動作説明に供される図である。
【図１１】（Ａ），（Ｂ）、および（Ｃ）は、それぞれ、ＩＣカードの挿入の場合におけるカード誤挿入防止機構の動作説明に供される図である。
【図１２】ＩＣカードの挿入の場合におけるカード誤挿入防止機構の動作説明に供される図である。
【図１３】（Ａ）乃至（Ｅ）は、それぞれ、ＩＣカードの誤った挿入の場合におけるカード誤挿入防止機構の動作説明に供される図である。
【図１４】本発明に係るＩＣカード用コネクタの第２実施例の外観を示す平面図である。
【図１５】図１４に示される例においてカバー部材を外した状態で示すベース部材の平面図である。
【図１６】図１５に示される要部を部分的に拡大して示す平面図である。
【図１７】図１５に示される要部を部分的に拡大して示す斜視図である。
【図１８】図１７に示される部分の平面図である。
【図１９】図１５に示される要部を部分的に拡大して示す斜視図である。
【図２０】（Ａ）および（Ｂ）は、それぞれ、図１４に示される例において用いられる可動板駆動部材を示す斜視図である。
【符号の説明】
【０１１３】
１０、４０    カバー部材
１２、４２    ベース部材
１４    カード収容部
１６ａｉ、１８ａｉ，４６ａｉ，４８ａｉ    コンタクト端子
２２    誤挿入規制部材
２２ＥＲ，２２ＥＬ    係合部
２２Ｎ    切欠部
２８Ｒ、２８Ｌ、５２Ｂ，７０    ロック部材
２８Ｈ    開口部
３２    ねじりコイルバネ
４４    カード誤挿入防止用可動板
５２ｂｅ    係止部
６６Ｌ、６６Ｒ    可動板駆動部材
６６ａ    突起片
６６Ｅ    突起部
７０Ｅ    係止端
ＭＣ    ＳＤカード
ＳＭＣ    ｍｉｎｉＳＤカード
【図１】
0004669384.tif 000002
【図２】
0004669384.tif 000003
【図３】
0004669384.tif 000004
【図４】
0004669384.tif 000005
【図５】
0004669384.tif 000006
【図６】
0004669384.tif 000007
【図７】
0004669384.tif 000008
【図８】
0004669384.tif 000009
【図９】
0004669384.tif 000010
【図１０】
0004669384.tif 000011
【図１１】
0004669384.tif 000012
【図１２】
0004669384.tif 000013
【図１３】
0004669384.tif 000014
【図１４】
0004669384.tif 000015
【図１５】
0004669384.tif 000016
【図１６】
0004669384.tif 000017
【図１７】
0004669384.tif 000018
【図１８】
0004669384.tif 000019
【図１９】
0004669384.tif 000020
【図２０】
0004669384.tif 000021